(57)【要約】【課題】農機具や建設用機械等の走行部に用いられるゴムクロ−ラの、土砂等の侵入による内周面の水虫や亀裂を防止して耐久性の向上を図かるものである。【解決手段】無端状ゴム弾性体２１と、当該ゴム弾性体２１に埋設された抗張体２７と、このゴム弾性体２１の外周面に形成されたラグ２６と、その内周面の転輪１０の走行面２８、２９に対しその両幅方向の外側に連続又は断続的に形成された土砂等の侵入防止リブ３０、３１と、を備えたゴムクロ−ラ２０であって、前記土砂等の侵入防止リブ３０、３１の先端が幅方向に向かって傾斜角度ａをもって配置されている土砂等の侵入防止能を有し、その土砂等の排出を容易としたゴムクロ−ラ２０。【選択図】図２
2008062715.tif 000002
【特許請求の範囲】
【請求項１】
ゴムクロ−ラの基体となる無端状ゴム弾性体と、当該ゴム弾性体の長手方向に向かって埋設された抗張体と、このゴム弾性体の外周面に形成されたラグと、その内周面の転輪走行面に対しその両幅方向の外側に連続又は断続的に形成された土砂等の侵入防止リブと、を備えたゴムクロ−ラであって、前記土砂等の侵入防止リブが先端が幅方向に向かって傾斜角度をもって配置されていることを特徴とするゴムクロ−ラ。
【請求項２】
前記無端状ゴム弾性体中に芯金が一定ピッチで埋設された請求項１記載のゴムクロ−ラ。
【請求項３】
前記土砂等の侵入防止リブの先端が先細である請求項１又は２記載のゴムクロ−ラ。
【請求項４】
前記土砂等の侵入防止リブの背丈が５〜２０ｍｍである請求項１乃至３いずれか１記載のゴムクロ−ラ。
【請求項５】
前記土砂等の侵入防止リブの傾斜角度が４５〜８０度である請求項１乃至４いずれか１記載のゴムクロ−ラ。
【発明の詳細な説明】
【技術分野】
【０００１】
本発明は、ゴムクロ−ラに関するものであって、更に言えば、ゴムクロ−ラの内周面に生じる亀裂を防止してゴムクロ−ラの耐久性の向上を目的としたものである。
【背景技術】
【０００２】
近年、農機具をはじめ、建設機械や土木作業用機械の走行部にゴムクロ−ラが広く使用されるようになってきた。ゴムクロ−ラは無端状のゴム弾性体中に一定ピッチをもって芯金が埋設されている。そして、この芯金は左右に張り出した翼部と、ゴムクロ−ラの内周面より突出する一対の突起とからなり、その芯金中央部はスプロケットとの係合部をなしている。又、ゴム弾性体の外周側にラグが形成され、前記芯金の翼部の外側に抗張体としてのスチ−ルコ−ドが埋設されている。かかる芯金入りゴムクロ−ラは、機体の前後に設置されたスプロケット及びアイドラ−に巻き掛けされ、しかも機体に備えられた転輪がゴムクロ−ラの内周面、即ち転輪走行面上を走行することとなっている。
【０００３】
しかるに、この転輪走行面は小石や砂（以下、土砂等という）がゴムクロ−ラの左右から侵入することは避けられず、これらを噛み込んだ状態で転輪が走行することとなるため、これら土砂をゴム中に押し込むこじり作用が繰り返され、これによってゴム表面がいわゆる虫食い（水虫）と称されるささくれ状の亀裂を生ずることとなる。かかる水虫はやがて大きく成長し、ゴムクロ−ラの寿命を縮めるようなゴムの亀裂にまで至る。
【０００４】
このため、芯金の翼部と、転輪走行面とのゴムの厚さを大きくする必要があったが、このため、逆にスプロケットやアイドラ−の巻き掛けの剛性を高めてしまい、これに起因する発熱が多く、ゴムクロ−ラに悪影響を及ぼすものであった。
【０００５】
かかる欠点を改良せんとして特許文献１がある。この文献による技術は、ゴムクロ−ラの内周面の転輪走行面に対し、その両外側に連続又は断続的に土砂等の侵入を防止するリブを帯状或いは非連続的に形成したものである。
【０００６】
【特許文献１】特開平０６−００１２７２号公報
【０００７】
このように、ゴムクロ−ラの内周面を走行する転輪走行面に土砂等の侵入を阻止するリブを形成したため、走行面におけるいわゆる水虫現象は低減することが認められている。しかしながら、これにも尚解決しなくてはならない課題があり、それは、一度ゴムクロ−ラの内周面に侵入した土砂等が今度はゴムクロ−ラの内周面より逃げ出しにくいことである。このため、今度は転輪が侵入した土砂等を連続して踏み込むこととなり、これによって、水虫現象が更に増してしまうことともなっていた。
【発明の開示】
【発明が解決しようとする課題】
【０００８】
本発明は、以上のような従来の技術に鑑みてなされたものであり、農機具や建設用機械等の走行部に用いられるゴムクロ−ラの、土砂等の侵入による内周面の水虫や亀裂を防止して耐久性の向上を図かるものである。
【課題を解決するための手段】
【０００９】
本発明の要旨は、ゴムクロ−ラの基体となる無端状ゴム弾性体と、当該ゴム弾性体の長手方向に向かって埋設された抗張体と、このゴム弾性体の外周面に形成されたラグと、その内周面の転輪走行面に対しその両幅方向の外側に連続又は断続的に形成された土砂等の侵入防止リブと、を備えたゴムクロ−ラであって、前記土砂等の侵入防止リブの先端が幅方向に向かって傾斜角度をもって配置されている土砂等の侵入防止能を有し、その土砂等の排出を容易としたゴムクロ−ラにかかるものである。
【００１０】
かかるゴムクロ−ラにあって、無端状ゴム弾性体中に芯金が一定ピッチで埋設されているいわゆる芯金入りゴムクロ−ラでも、芯金レスゴムクロ−ラでも適用ができることは勿論であり、好ましくは、前記土砂等の侵入防止リブ（以下、問題のない限りリブという）が先細で、その背丈が５〜２０ｍｍ、そのリブの傾斜角度が４０〜８０度、更に好ましくは、背丈が１０〜１５ｍｍ、傾斜角度が４５〜６０度である。
【発明の効果】
【００１１】
本発明の構成を採用したことにより、従来の技術にはない特別の効果がもたらされたものであり、請求項１の構成、即ちリブを幅方向外側に傾斜させることによって土砂等が内周面上に入りにくく、かつ一度入っても出やすいので、ゴムクローラの内周面を傷を付けにくくなるという大きな特徴があり、かかるゴムクロ−ラはいわゆる芯金入り構造（請求項２）は勿論であるが、芯金レス構造にも適用可能である。
【００１２】
特に、リブの先端が先細であることにより、リブが柔軟性がもたらされ、折れにくくなると共に、その背丈及び傾斜角度を限定することにより、より効果的に土砂等の侵入抑制及び侵入してしまった土砂等の排出を容易とすることができたものである。
【発明を実施するための最良の形態】
【００１３】
本発明は、転輪とゴムクロ−ラの内周面に形成された転輪走行面に、ゴムクロ−ラの幅縁より、いわゆる水虫現象を生じさせる土砂等の侵入を防止するため、その走行面の特に外側に、ゴム弾性体を肉盛りし、その形状を特に限定したリブを形成したものであり、このため、ゴムクロ−ラの左右幅側より侵入する土砂等の量が著しく制限されることとなると共に、侵入した土砂等が再度外側へ排出しやすい構造としたものである。
【００１４】
形成されたリブの傾斜角度が４５度より小さいと土砂等の侵入抑制効果が小さく、かつ製造時にモールドから取り出すときに折れやすいため良くない。又、８０度以上だと土砂等が排出されにくくなる。このため、特に好ましくは４５〜６０度の傾斜角度が推奨される。又、リブの背丈は低過ぎると土砂等の侵入を阻止する機能は小さくなるため、５〜２０ｍｍ、好ましくは１０〜１５ｍｍ程度の背丈が好適である。余り背丈が高いと製造時にモ−ルドからの取り出しに難が生じてしまう。
【実施例】
【００１５】
以下、本発明を実施例をもって更に詳細に説明する。図１は本発明の第１実施例を示すゴムクロ−ラの内周側平面図であり、図２はその主要部の幅方向の断面図である。図中、２０は本発明のゴムクロ−ラを示し、図１の上下に連続している。２１はこのゴムクロ−ラ２０の基体となる無端状のゴム弾性体であって、この幅方向に向けて一定ピッチをもって芯金２２が埋設されている。この芯金２２は、左右に張り出した翼部２３、２４と、一対の突起２５とからなり、図示しないスプロケットとの係合部となる。そして、符号２６は外周側に形成されたラグであり、２７は芯金２２の翼部２３、２４を外囲いしてゴム弾性体２１中に埋設された抗張体としてのスチ−ルコ−ドである。
【００１６】
この例は、いわゆる芯金を埋設したゴムクロ−ラ２０であって、この一対の突起２５の左右両サイドに転輪１０の走行面２８、２９が形成される。この転輪走行面２８、２９は、芯金２２の翼部２３、２４上にゴム部分が形成されたものである。
【００１７】
さて、この転輪走行面２８、２９に対して、その幅方向の両側にゴム弾性体２１をゴムクロ−ラの長手方向に長尺に隆起させたリブ３０、３１を形成してなるものである。このリブ３０、３１は、ゴムクロ−ラ２０の幅方向より土砂等が侵入してくるのを阻止し、転輪がこれを噛み込むことなく水虫現象を生じさせないという目的のものである。
【００１８】
尚、かかるリブ３０、３１はその基部から先端にかけて厚みが一定（約５ｍｍ）であり、背丈Ｈが１０ｍｍ、傾斜角度ａが６０度である。このようにしたことにより、転輪走行時にゴムクロ−ラの左右の幅方向より特に転輪１０が走行する内周面上に侵入してくる土砂等の動きを阻止することができ、又、一方で内側に侵入してしまった土砂等はこの外側に傾斜しているリブ３０、３１に添って外側に排出しやすい構造となっており、このため、転輪１０の走行にあっても芯金２０とゴム弾性体２１間に生じる剥離や水虫現象の発生を防ぐことができることとなったものである。
【００１９】
リブ１０の高さＨ（傾斜角度４５度）とゴムクロ−ラ２０の内周面の虫食い（水虫）数、リブ１０の傾斜角度ａ（高さ１０ｍｍ）とゴムクロ−ラ２０の内周面の虫食い（水虫）数を測定した。図３、４にその結果を示す。
【００２０】
尚、この例ではリブ３０、３１は長手方向に連続した構造としているが、場合によっては、断続的に形成されていてもよいことは勿論である。
【００２１】
又、リブは左右において長手方向に１条のリブとして形成してあるが、複数条のリブを形成することができることも言うまでもなく、図５は一方側に３条のリブ３０ａ、３０ｂ、３０ｃ及び３１ａ、３１ｂ、３１ｃを形成した断面図である。３０ｂ、３１ｂは先端が先細となっているリブであり、３０ｃ、３１ｃは先端が外側に湾曲して形成された例である。勿論これらのリブが夫々１条として形成されることは勿論であり、その組み合わせも自由である。
【００２２】
図６は本発明の第３実施例を示すゴムクロ−ラの主要部の幅方向の断面図である。図中、２０は本発明のゴムクロ−ラを示し、２１はこのゴムクロ−ラ２０の基体となる無端状のゴム弾性体、２６は外周側に形成されたラグであり、２７はゴム弾性体２１中に埋設されたスチ−ルコ−ドである。
【００２３】
この例は、いわゆる芯金を埋設しない芯金レスゴムクロ−ラ２０であって、内周面の中央に一定ピッチをもってゴム突起４０が形成されており、この突起４０の左右両サイドに転輪１０の走行面２８、２９が形成される。
【００２４】
さて、この転輪走行面２８、２９に対して、その幅方向の両側にゴム弾性体２１をゴムクロ−ラの長手方向に前例のリブ３０、３１を形成してなるものである。このリブ３０、３１は、ゴムクロ−ラ２０の幅方向より土砂等が侵入してくるのを阻止し、又、侵入してしまった土砂等が排出しやすいようにしたもので、転輪１０がこれらの土砂等を噛み込むことなく水虫現象を生じさせないようにしたものである。
【産業上の利用可能性】
【００２５】
本発明は、以上のようにゴムクロ−ラの内周面を走行する転輪走行面に対し、土砂等の侵入を阻止し、かつ、排出を容易としたリブを形成したため、この走行面におけるいわゆる水虫現象は著しく低減されることとなった。このため、ゴムクロ−ラとしての寿命が著しく延長されたものであり、その産業上のメリットは大きい。
【図面の簡単な説明】
【００２６】
【図１】図１は本発明の第１実施例を示すゴムクロ−ラの内周側平面図である。
【図２】図２は図１の主要部の幅方向の断面図である。
【図３】図３はリブの高さと虫食い数の関係を示すグラフである。
【図４】図４はリブの傾斜角度と虫食い数の関係を示すグラフである。
【図５】図５は本発明の第２実施例を示すゴムクロ−ラの幅方向に断面図である。
【図６】図６は本発明の第３実施例を示すゴムクロ−ラの幅方向の断面図である。
【符号の説明】
【００２７】
１０‥転輪、
２０‥ゴムクロ−ラ、
２１‥無端状ゴム弾性体、
２２‥芯金、
２３、２４‥翼部、
２５‥突起、
２６‥ラグ、
２７‥スチ−ルコ−ド、
２８、２９‥転輪走行面、
３０、３０ａ、３０ｂ、３０ｃ、３１、３１ａ、３１ｂ、３１ｃ‥リブ、
４０‥ゴム突起、
ａ‥リブの傾斜角度、
Ｈ‥リブの背丈。
【図１】
2008062715.tif 000003
【図２】
2008062715.tif 000004
【図３】
2008062715.tif 000005
【図４】
2008062715.tif 000006
【図５】
2008062715.tif 000007
【図６】
2008062715.tif 000008